(57)【要約】【課題】構成が簡単でしかも個々の装置によるバラツキも少なく、小トルクから大トルクまでの広い範囲について安定で高精度のトルク計測を可能とし、小型化にも適するトルク計測装置を提供すること。【解決手段】円筒状起歪部１１の一端部には、第１のフランジ部１２が形成され、他端部には、第２のフランジ部１３が形成されており、この第２のフランジ部１３の外周部近傍には、ストッパー孔１３ａを穿設している。第２のフランジ部１３の外方端面中央部に短寸円柱状のハブ部２２を突設し、ハブ部２２から半径方向に放射状に延びる４本のビーム状起歪部２１を介してリング状フランジ部２３を、ハブ部２２と同軸一体に設けている。リング状フランジ部２３の円周上の４箇所にストッパーピン３を埋設固定する。ストッパーピン３の小径部３２とストッパー孔１３ａの係合により、リング状フランジ部２３と第２のフランジ部１３との相対的な回動を規制する。【選択図】　　図１
2004077172.tif 000002
【特許請求の範囲】
【請求項１】
回転方向のトルクに感応する円筒状起歪部を用いて構成してなる第１のトルク計測部と、
中心軸近傍のハブ部と該ハブ部の外周に適宜離間して同軸的に配置される外周部材とを放射方向に延びるビーム状起歪部を介して結合してなり、前記ハブ部および外周部材のうちの一方を前記第１のトルク計測部の前記円筒状の起歪部の一側に結合して、前記第１のトルク計測部よりも小さなトルクを計測するための第２のトルク計測部と、
前記第１のトルク計測部の前記円筒状起歪部の一側と前記第２のトルク計測部の前記ハブ部および外周部材のうちの他方との間に設けられ、これらの間の相対的な回動を所定角度以内に規制するストッパー機構と
を具備することを特徴とするトルク計測装置。
【請求項２】
円筒状起歪部の両端にフランジ部を形成して一体的に構成してなる第１のトルク計測部と、
前記第１のトルク計測部の一方のフランジ部の中央部に突設されたハブ部の外周面から放射方向に延びる複数のビーム状起歪部を介して前記ハブ部と同軸的に且つ前記一方のフランジ部と所定の間隙を存して対峙するリング状フランジ部を形成してなり、前記第１のトルク計測部よりも小さなトルクを計測するための第２のトルク計測部と、
前記第１のトルク計測部の前記一方のフランジ部と前記第２のトルク計測部のリング状フランジ部との間に設けられ、これら両者間の相対的な回動を所定角度以内に規制するストッパー機構と
を具備することを特徴とするトルク計測装置。
【請求項３】
円筒状起歪部の端部にフランジ部を、このフランジ部の中央部にハブ部を、それぞれ一体に形成して第１のトルク計測部となし、前記第１のトルク計測部の前記ハブ部とそのハブ部の外周面から放射方向に延びる複数のビーム状起歪部を一体に形成し、前記ビーム状起歪部の各先端に前記ハブ部と同軸のリング状フランジ部を一体に形成して第２トルク計測部となしたことを特徴とする請求項２に記載のトルク計測装置。
【請求項４】
前記第１のトルク計測部は、前記円筒状起歪部の周面に適宜間隔で貼設されて、当該円筒状起歪部の捻りひずみを検知する複数のひずみゲージを含み、
前記第２のトルク計測部は、前記ビーム状起歪部の回転方向に面する側面に貼設されて、当該ビーム状起歪部の曲げひずみを検知するひずみゲージを含む
ことを特徴とする請求項１〜請求項３のうちのいずれか１項に記載のトルク計測装置。
【請求項５】
前記第１のトルク計測部の捻りひずみを検知するひずみゲージは、中心軸線と平行な方向に対して４５°の角度をなして互いに直交する方向のひずみにそれぞれ主として感応する１対のひずみ検知部を互いに近接して配置してなるひずみゲージを、前記円筒状起歪部の周面の同一円周上に等間隔で複数個配設してなることを特徴とする請求項４に記載のトルク計測装置。
【請求項６】
前記第２のトルク計測部の曲げひずみを検知するひずみゲージは、前記ビーム状起歪部の回転方向に面する側面の半径方向のひずみに感応するひずみ検知部を有するひずみゲージを前記ビーム状起歪部の前記ハブ部側端部近傍の回転方向に面する両側面に配設してなることを特徴とする請求項４または請求項５に記載のトルク計測装置。
【請求項７】
前記ストッパー機構は、
前記第１のトルク計測部の前記一方のフランジ部および前記第２のトルク計測部のリング状フランジ部の一方に同一円周上に等間隔で形成される複数の係合孔と、
前記第１のトルク計測部の前記一方のフランジ部および前記第２のトルク計測部のリング状フランジ部の他方に前記係合孔にそれぞれ対応して突設され、前記係合孔に挿入係合する複数のピン状突起と
を含み、前記第１のトルク計測部の前記一方のフランジ部と前記第２のトルク計測部のリング状フランジ部との相対的な回動を、前記係合孔とピン状突起との係合における両者の寸法差に基づく遊び範囲にのみ許容し、該遊び範囲に相当する角度以内に規制する構成としたことを特徴とする請求項２に記載のトルク計測装置。
【請求項８】
前記ストッパー機構のピン状突起は、前記第１のトルク計測部の前記一方のフランジ部および前記第２のトルク計測部のリング状フランジ部の前記他方に一端を突出させて植設したストッパーピンにより形成したことを特徴とする請求項７に記載のトルク計測装置。
【請求項９】
前記第２のトルク計測部の前記ハブ部に対する前記複数のビーム状起歪部の各結合部近傍において前記ビーム状起歪部のビーム端部と前記ハブ部とを微小トルクに応動するさらなる起歪部を介して結合する構成としてなり、前記第２のトルク計測部よりもさらに小さなトルクを計測するための第３のトルク計測部と、
前記第２のトルク計測部の前記ビーム状起歪部の前記ビーム端部と前記ハブ部との間の相対的な回動を所定角度以内に規制するさらなるストッパー機構と
をさらに具備することを特徴とする請求項２に記載のトルク計測装置。
【請求項１０】
前記第３のトルク計測部の前記さらなる起歪部は、前記複数のビーム状起歪部の前記ハブ部に対する各結合部近傍における前記ビーム状起歪部の円周方向についてのビーム寸法を膨出させ、その膨出部分に軸線方向の一端から該軸線に平行に非貫通穴を穿設し、該非貫通穴の底面に剪断ひずみを検出するひずみゲージを貼設して形成し、且つ
前記さらなるストッパー機構は、前記さらなる起歪部の回転方向両側方に所定のギャップを存して前記第１のトルク計測部の前記一方のフランジ部から突設してなり、前記第１のトルク計測部の前記一方のフランジ部と前記ビーム状起歪部の端部との間の相対的な回動に基づく前記さらなる起歪部の変形を所定範囲内に規制する係止部により構成してなることを特徴とする請求項９に記載のトルク計測装置。
【発明の詳細な説明】
【０００１】
【発明の属する技術分野】
本発明は、回転トルクを計測するためのトルク計測装置に係り、特に、微小トルクから大トルクまで広いトルク範囲の回転トルクを精度良く計測することが可能であり、回転駆動系の特性評価等にも好適なトルク計測装置に関するものである。
【０００２】
【従来の技術】
自動車の開発、製造、調整および保守におけるブレーキまたはクラッチディスク等の特性試験、電機産業におけるインバータモータまたはリニアモータ等の特性試験、並びに高容量ポンプの開発における特性試験においては、回転駆動系等の回転作動部における回転トルクの測定による特性評価が欠かせない。このような、回転駆動系等の特性評価のための回転トルクの測定に際しては、微小トルクから大トルクまでの広範囲のトルクを、高精度つまり高分解能に計測することが要求される。
この種のトルク計測装置は、例えば、図１６に示されるように、ベアリングＢ１により回転自在に支持される動力側の駆動回転軸Ｓ１と、やはりベアリングＢ２により回転自在に支持される負荷側の回転軸Ｓ２との間にトルク計測装置Ｍ１を介挿して設けて、回転状態における両回転軸Ｓ１−Ｓ２間の相対的な回転トルクを動的に計測する。あるいは、図１７に示されるように、トルク計測装置Ｍ２の一端を固定し、トルク計測装置Ｍ２の他端に結合したクラッチＣ１を介して被測定回転軸Ｓ３を結合し、被測定回転軸Ｓ３によって加えられる回転トルクを静的に計測することもある。
【０００３】
従来、上述したように広範囲のトルク測定が必要な場合には、比較的小さなトルクを高精度に計測することができるトルク変換器と比較的大きなトルクを高精度に計測することができるトルク変換器との２つのトルク変換器を使用して、トルク計測装置を構成し、被計測トルクの大きさに応じてこれらトルク変換器を選択的に切り替えて計測することが行なわれる。このようなトルク計測装置は、小トルク用と大トルク用の２つのトルク変換器を選択的に切り換えて使用するため、トルク計測装置の内部に、２つのトルク変換器を切り替えるための機構または２つのトルク変換器を選択的に作動させるために一方の作動を抑制するためのストッパー機構を設ける必要がある。
このため、トルク計測装置は大型化し、その構造も複雑化し、しかもそのため、トルク計測装置の被計測部への取り付けおよび調整が煩雑化する。その上、このようなトルク計測装置は、点検および再較正時に分解が伴うため、再組み立てに際してはさらに調整が必要となり、延いては、製作費のみならずメンテナンス費用も高額となってしまう、という不都合があった。
【０００４】
これに対して、小トルク用と大トルク用の２つのトルク変換器を組み合わせて、１つのトルク検出装置を構成するものが、特開２００２−１３９３９１号公報に開示されている。
上記特開２００２−１３９３９１号公報に示されたトルク検出装置は、比較的大径のほぼ円柱形状の第１軸部を起歪体とする第１トルク検出部と、前記第１軸部よりも小径のほぼ円柱形状の第２軸部を起歪体とし、この第２軸部に、コイルスプリングからなる弾性部材により、捻り変形に抗する方向への弾性反発力を作用する第２トルク検出部と、この第２トルク検出部の前記第２軸部の捻り変形を所定角度に制限するストッパー部とを有している。この特開２００２−１３９３９１号公報のトルク検出装置においては、第２トルク検出部におけるほぼ円柱形状の第２軸部の捻り方向の剛性および当該第２軸部に弾性部材により作用する弾性反発力の合成力に抗して、（主として前記弾性部材の初期反発力によって定まる）イニシャルトルクを超える回転トルクが印加されると、前記第２軸部に捻り変形が生じ、この捻り変形の大きさを前記第２軸部の外周面に貼り付けられたひずみゲージにより、検知測定することにより比較的小さなトルクを検出する。
【０００５】
この第２トルク検出部の第２軸部の捻り変形が所定角度に達すると、ストッパー部によりそれ以上の変形が制限され、回転トルクは、第１トルク検出部の第１軸部に伝達される。なお、第１トルク検出部の第１軸部の捻り方向についての剛性は、第２トルク検出部に比して充分に大きく、第２軸部の捻り変形の範囲内では、第１軸部にはほとんど捻り変形が生じない。
ストッパー部の作用により伝達された回転トルクが、第１トルク検出部の第１軸部の捻り方向の剛性に抗して作用すれば、第１軸部の捻り変形が生じ、この捻り変形の大きさを前記第１軸部の外周面に貼り付けられたひずみゲージにより、検知測定することにより比較的大きなトルクを検出する。
【０００６】
【発明が解決しようとする課題】
ところで、上記特開２００２−１３９３９１号公報に示されたトルク検出装置の構成では、大トルク検出のための起歪部としてほぼ円柱形状の第１軸部を用いている。このほぼ円柱形状の第１軸部において、印加される回転トルクにより周面に発生するひずみは、かならずしも大きくなく、大トルクに対して適切な感度を得るために、捻り方向に比較的大きな剛性を呈するように比較的大径に形成してあるため、周面に貼り付けたひずみゲージにより小トルクを高分解能で検出することは困難である。また、小トルク検出のための第２トルク検出部の起歪部として、ほぼ円柱形状の第２軸部とコイルスプリング等からなる複数の弾性部材との組合せ構成を用いている。
【０００７】
第２軸部は、捻り方向についての剛性が小さく、この第２軸部に小トルクに対して適切なひずみを生じさせるために、捻り方向の変形に抗する弾性力を作用すべく複数の弾性部材をその周面に配設している。この第２トルク検出部は、第２軸部の周面におけるひずみを検出して小トルクを測定するようにしているが、ほぼ円柱形状の第２軸部と複数の弾性部材とを組み合わせた構成であるため、小トルク検出用であるにもかかわらず、弾性部材の初期弾性力に関連して定まるイニシャルトルク以下のトルクでは、検出出力の生じない不感帯を有しており（特開２００２−１３９３９１号公報における図８参照）、構成も複雑化している。特にコイルスプリングのような弾性部材を用いているため、調整および組み立て等が煩雑である。スプリング等の弾性部材は、特性上ヒステリシスを避けることが困難であるため、高精度を得ることが容易ではない。しかもスプリング等の弾性特性には、部品によるバラツキがあるため、高精度を得るためには、バラツキを抑えて適正で且つ均一な特性のスプリング等を用いることが必要となる。したがって、例えば、スプリング等のバネ定数等の性能の厳密な管理が必要となり、仮に初期のバネ定数が適切であっても、経時変化が生じる。しかも、ほぼ円柱形状の第２軸部の周面におけるひずみによりトルクを測定しているため、高精度の検出が極めて困難である。
【０００８】
本発明は、上述した事情に鑑みてなされたもので、構成が簡単でしかも個々の装置によるバラツキも少なく、小トルクから大トルクまでの広い範囲について且つ長期に亘り安定で高精度のトルク計測を可能とし、小型化にも適するトルク計測装置を提供することを目的としている。
本発明の請求項１の目的は、特に、小トルクおよび大トルクのいずれについても安定で且つ高精度なトルク計測を行なうことを可能とするトルク計測装置を提供することにある。
本発明の請求項２の目的は、特に、簡単な構成で且つ小型化も容易であるにもかかわらず、小トルクおよび大トルクのいずれについても安定で且つ高精度なトルク計測を行なうことを可能とするトルク計測装置を提供することにある。
本発明の請求項３の目的は、特に組立調整が極めて容易であり、バラツキが少なく、長期に亘る使用においてもヒステリシスが生じ難いトルク計測装置を提供することができる。
【０００９】
本発明の請求項４の目的は、特に、効率良く的確にトルク計測信号を生成することを可能とするトルク計測装置を提供することにある。
本発明の請求項５の目的は、特に、比較的大きなトルクを効率良く的確に計測することを可能とするトルク計測装置を提供することにある。
本発明の請求項６の目的は、特に、比較的小さなトルクを効率良く的確に計測することを可能とするトルク計測装置を提供することにある。
本発明の請求項７の目的は、特に、主として比較的小さなトルク範囲についての計測と主としてそれより大きなトルク範囲についての計測との切り換えを高精度に、しかもスムーズに行なうことを可能とするトルク計測装置を提供することにある。
本発明の請求項８の目的は、特に、主として比較的小さなトルク範囲についての計測と主としてそれより大きなトルク範囲についての計測との切り換え分担の精度をさらに高めることを可能とするトルク計測装置を提供することにある。
本発明の請求項９の目的は、特に、さらに広いトルク範囲について安定で且つ高精度なトルク計測を行なうことを可能とするトルク計測装置を提供することにある。
本発明の請求項１０の目的は、特に、最も小さなトルク範囲について高感度に且つ高精度にトルク計測を行なうことを可能とするトルク計測装置を提供することにある。
【００１０】
【課題を解決するための手段】
請求項１に記載した本発明に係るトルク計測装置は、上述した目的を達成するために、
回転方向のトルクに感応する円筒状起歪部を用いて構成してなる第１のトルク計測部と、
中心軸近傍のハブ部と該ハブ部の外周に適宜離間して同軸的に配置される外周部材とを放射方向に延びるビーム状起歪部を介して結合してなり、前記ハブ部および外周部材のうちの一方を前記第１のトルク計測部の前記円筒状の起歪部の一側に結合して、前記第１のトルク計測部よりも小さなトルクを計測するための第２のトルク計測部と、
前記第１のトルク計測部の前記円筒状起歪部の一側と前記第２のトルク計測部の前記ハブ部および外周部材のうちの他方との間に設けられ、これらの間の相対的な回動を所定角度以内に規制するストッパー機構と
を具備することを特徴としている。
【００１１】
請求項２に記載した本発明に係るトルク計測装置は、上述した目的を達成するために、
円筒状起歪部の両端にフランジ部を形成して一体的に構成してなる第１のトルク計測部と、
前記第１のトルク計測部の一方のフランジ部の中央部に突設されたハブ部の外周面から放射方向に延びる複数のビーム状起歪部を介して前記ハブ部と同軸的に且つ前記一方のフランジ部と所定の間隙を存して対峙するリング状フランジ部を形成してなり、前記第１のトルク計測部よりも小さなトルクを計測するための第２のトルク計測部と、
前記第１のトルク計測部の前記一方のフランジ部と前記第２のトルク計測部のリング状フランジ部との間に設けられ、これら両者間の相対的な回動を所定角度以内に規制するストッパー機構と
を具備することを特徴としている。
【００１２】
請求項３に記載した本発明に係るトルク測定装置は、円筒状起歪部の端部にフランジ部を、このフランジ部の中央部にハブ部を、それぞれ一体に形成して第１のトルク計測部となし、前記第１のトルク計測部の前記ハブ部とそのハブ部の外周面から放射方向に延びる複数のビーム状起歪部を一体に形成し、前記ビーム状起歪部の各先端に前記ハブ部と同軸のリング状フランジ部を一体に形成して第２トルク計測部となしたことを特徴としている。
請求項４に記載した本発明に係るトルク計測装置は、
前記第１のトルク計測部は、前記円筒状起歪部の周面に適宜間隔で貼設されて、当該円筒状起歪部の捻りひずみを検知する複数のひずみゲージを含み、且つ
前記第２のトルク計測部は、前記ビーム状起歪部の回転方向に面する側面に貼設されて、当該ビーム状起歪部の曲げひずみを検知するひずみゲージを含む
ことを特徴としている。
請求項５に記載した本発明に係るトルク計測装置は、前記第１のトルク計測部の捻りひずみを検知するひずみゲージは、中心軸線と平行な方向に対して４５°の角度をなして互いに直交する方向のひずみにそれぞれ主として感応する１対のひずみ検知部を互いに近接して配置してなるひずみゲージを、前記円筒状起歪部の周面の同一円周上に等間隔で複数個配設してなることを特徴としている。
【００１３】
請求項６に記載した本発明に係るトルク計測装置は、前記第２のトルク計測部の曲げひずみを検知するひずみゲージは、前記ビーム状起歪部の回転方向に面する側面の半径方向のひずみに感応するひずみ検知部を有するひずみゲージを前記ビーム状起歪部の前記ハブ部側端部近傍の回転方向に面する両側面に配設してなることを特徴としている。
請求項７に記載した本発明に係るトルク計測装置は、
前記ストッパー機構は、
前記第１のトルク計測部の前記一方のフランジ部および前記第２のトルク計測部のリング状フランジ部の一方に同一円周上に等間隔で形成される複数の係合孔と、
前記第１のトルク計測部の前記一方のフランジ部および前記第２のトルク計測部のリング状フランジ部の他方に前記係合孔にそれぞれ対応して突設され、前記係合孔に挿入係合する複数のピン状突起と
を含み、前記第１のトルク計測部の前記一方のフランジ部と前記第２のトルク計測部のリング状フランジ部との相対的な回動を、前記係合孔とピン状突起との係合における両者の寸法差に基づく遊び範囲にのみ許容し、該遊び範囲に相当する角度以内に規制する構成としたことを特徴としている。
【００１４】
請求項８に記載した本発明に係るトルク計測装置は、前記ストッパー機構のピン状突起は、前記第１のトルク計測部の前記一方のフランジ部および前記第２のトルク計測部のリング状フランジ部の前記他方に一端を突出させて植設したストッパーピンにより形成したことを特徴としている。
請求項９に記載した本発明に係るトルク計測装置は、
前記第２のトルク計測部の前記ハブ部に対する前記複数のビーム状起歪部の各結合部近傍において前記ビーム状起歪部のビーム端部と前記ハブ部とを微小トルクに応動するさらなる起歪部を介して結合する構成としてなり、前記第２のトルク計測部よりもさらに小さなトルクを計測するための第３のトルク計測部と、
前記第２のトルク計測部の前記ビーム状起歪部の前記ビーム端部と前記ハブ部との間の相対的な回動を所定角度以内に規制するさらなるストッパー機構と
をさらに具備することを特徴としている。
【００１５】
請求項１０に記載した本発明に係るトルク計測装置は、
前記第３のトルク計測部の前記さらなる起歪部は、前記複数のビーム状起歪部の前記ハブ部に対する各結合部近傍における前記ビーム状起歪部の円周方向についてのビーム寸法を膨出させ、その膨出部分に軸線方向の一端から該軸線に平行に非貫通穴を穿設し、該非貫通穴の底面に剪断ひずみを検出するひずみゲージを貼設して形成し、且つ
前記さらなるストッパー機構は、前記さらなる起歪部の回転方向両側方に所定のギャップを存して前記第１のトルク計測部の前記一方のフランジ部から突設してなり、前記第１のトルク計測部の前記一方のフランジ部と前記ビーム状起歪部の端部との間の相対的な回動に基づく前記さらなる起歪部の変形を所定範囲内に規制する係止部により構成してなることを特徴としている。
【００１６】
【作用】
すなわち、本発明の請求項１によるトルク計測装置は、回転方向のトルクに感応する円筒状起歪部を用いて構成してなる第１のトルク計測部と、中心軸近傍のハブ部と該ハブ部の外周に適宜離間して同軸的に配置される外周部材とを放射方向に延びるビーム状起歪部を介して結合してなり、前記ハブ部および外周部材のうちの一方を前記第１のトルク計測部の前記円筒状の起歪部の一側に結合して、前記第１のトルク計測部よりも小さなトルクを計測するための第２のトルク計測部とを有し、前記第１のトルク計測部の前記円筒状起歪部の一側と前記第２のトルク計測部の前記ハブ部および外周部材のうちの他方との間にストッパー機構を設け、これらの間の相対的な回動を所定角度以内に規制する。
このような構成により、構成が簡単でしかも個々の装置によるバラツキも少なくなり、小トルクから大トルクまでの広い範囲について安定で高精度のトルク計測が可能となって、小型化にも適し、特に、小トルクおよび大トルクのいずれについても安定で且つ高精度なトルク計測を行なうことが可能となる。
【００１７】
また、本発明の請求項２によるトルク計測装置は、円筒状起歪部の両端にフランジ部を形成して一体的に構成してなる第１のトルク計測部と、前記第１のトルク計測部の一方のフランジ部の中央部に突設されたハブ部の外周面から放射方向に延びる複数のビーム状起歪部を介して前記ハブ部と同軸的に且つ前記一方のフランジ部と所定の間隙を存して対峙するリング状フランジ部を形成してなり、前記第１のトルク計測部よりも小さなトルクを計測するための第２のトルク計測部とを有し、前記第１のトルク計測部の前記一方のフランジ部と前記第２のトルク計測部のリング状フランジ部との間にストッパー機構を設けて、これら両者間の相対的な回動を所定角度以内に規制する。
このような構成により、特に、簡単な構成で且つ小型化も容易であるにもかかわらず、小トルクおよび大トルクのいずれについても安定で且つ高精度なトルク計測を行なうことが可能となる。
【００１８】
また、本発明の請求項３によるトルク計測装置は、円筒状起歪部の端部にフランジ部を、このフランジ部の中央部にハブ部を、それぞれ一体に形成して第１のトルク計測部となし、前記第１のトルク計測部の前記ハブ部とそのハブ部の外周面から放射方向に延びる複数のビーム状起歪部を一体に形成し、前記ビーム状起歪部の各先端に前記ハブ部と同軸のリング状フランジ部を一体に形成して第２トルク計測部となす。
このような構成により、構成が簡単で小型化が容易であるにもかかわらず、バラツキが少なく、ヒステリシスも優れたものとする。
本発明の請求項４によるトルク計測装置は、前記第１のトルク計測部が、前記円筒状起歪部の周面に適宜間隔で貼設されて、当該円筒状起歪部の捻りひずみを検知する複数のひずみゲージを含み、且つ前記第２のトルク計測部が、前記ビーム状起歪部の回転方向に面する側面に貼設されて、当該ビーム状起歪部の曲げひずみを検知するひずみゲージを含んでいる。
このような構成により、特に、効率良く的確にトルク計測信号を生成することが可能となる。
【００１９】
本発明の請求項５によるトルク計測装置は、前記第１のトルク計測部の捻りひずみを検知するひずみゲージが、中心軸線と平行な方向に対して４５°の角度をなして互いに直交する方向のひずみにそれぞれ主として感応する１対のひずみ検知部を互いに近接して配置してなるひずみゲージを、前記円筒状起歪部の周面の同一円周上に等間隔で複数個配設してなる。
このような構成により、特に、比較的大きなトルクを効率良く的確に計測することが可能となる。
本発明の請求項６によるトルク計測装置は、前記第２のトルク計測部の曲げひずみを検知するひずみゲージが、前記ビーム状起歪部の回転方向に面する側面の半径方向のひずみに感応するひずみ検知部を有するひずみゲージを前記ビーム状起歪部の回転方向に面する両側面に配設してなる。
このような構成により、特に、比較的小さなトルクを効率良く的確に計測することが可能となる。
【００２０】
本発明の請求項７によるトルク計測装置は、前記ストッパー機構が、前記第１のトルク計測部の前記一方のフランジ部および前記第２のトルク計測部のリング状フランジ部の一方に同一円周上に等間隔で形成される複数の係合孔と、前記第１のトルク計測部の前記一方のフランジ部および前記第２のトルク計測部のリング状フランジ部の他方に前記係合孔にそれぞれ対応して突設され、前記係合孔に挿入係合する複数のピン状突起とを含み、前記第１のトルク計測部の前記一方のフランジ部と前記第２のトルク計測部のリング状フランジ部との相対的な回動を、前記係合孔とピン状突起との係合における両者の寸法差に基づく遊び範囲にのみ許容し、該遊び範囲に相当する角度以内に規制する構成としている。
このような構成により、特に、主として比較的小さなトルク範囲についての計測と主としてそれより大きなトルク範囲についての計測との切り換えを高精度にしかもスムーズに行なうことが可能となる。
【００２１】
本発明の請求項８によるトルク計測装置は、前記ストッパー機構のピン状突起が、前記第１のトルク計測部の前記一方のフランジ部および前記第２のトルク計測部のリング状フランジ部の前記他方に一端を突出させて植設したストッパーピンにより形成している。
このような構成により、特に、主として比較的小さなトルク範囲についての計測と主としてそれより大きなトルク範囲についての計測との切り換え分担の精度をさらに高めることが可能となる。
本発明の請求項９によるトルク計測装置は、前記第２のトルク計測部の前記ハブ部に対する前記複数のビーム状起歪部の各結合部近傍において前記ビーム状起歪部のビーム端部と前記ハブ部とを微小トルクに応動するさらなる起歪部を介して結合する構成としてなり、前記第２のトルク計測部よりもさらに小さなトルクを計測するための第３のトルク計測部と、前記第２のトルク計測部の前記ビーム状起歪部の前記ビーム端部と前記ハブ部との間の相対的な回動を所定角度以内に規制するさらなるストッパー機構とをさらに具備する。
このような構成により、特に、さらに広いトルク範囲について安定で且つ高精度なトルク計測を行なうことが可能となる。
【００２２】
本発明の請求項１０によるトルク計測装置は、前記第３のトルク計測部の前記さらなる起歪部が、前記複数のビーム状起歪部の前記ハブ部に対する各結合部近傍における前記ビーム状起歪部の円周方向についてのビーム寸法を膨出させ、その膨出部分に軸線方向の一端から該軸線に平行に非貫通穴を穿設し、該非貫通穴の底面に剪断ひずみを検出するひずみゲージを貼設して形成し、且つ前記さらなるストッパー機構が、前記さらなる起歪部の回転方向両側方に所定のギャップを存して前記第１のトルク計測部の前記一方のフランジ部から突設してなり、前記第１のトルク計測部の前記一方のフランジ部と前記ビーム状起歪部の端部との間の相対的な回動に基づく前記さらなる起歪部の変形を所定範囲内に規制する係止部により構成してなる。
このような構成により、特に、最も小さなトルク範囲について高感度に且つ高精度にトルク計測を行なうことが可能となる。
【００２３】
【発明の実施の形態】
以下、本発明の実施の形態に基づき、図面を参照して本発明に係るトルク計測装置を詳細に説明する。
図１〜図５は、本発明の第１の実施の形態に係るトルク計測装置の構成を示している。図１は、トルク計測装置の主要部の内部構成を示す縦断面図、図２は、主要部の外観を示す側面図、図３は、小トルクの計測部側の端面から見た構成を模式的に示す正面図、図４は、大トルクの計測部をカバーで覆った状態の外観を示すトルク計測装置の側面図、そして図５は、図４の状態の一体のトルク計測装置の一部を切離して示す一部分解斜視図である。
図１〜図５に示すトルク計測装置は、主として第１のトルク計測部１と、第２のトルク計測部２と、ストッパーピン３とで構成している。第１のトルク計測部１は、大トルクを計測する部分であり、円筒状起歪部１１、第１のフランジ部１２、第２のフランジ部１３およびカバー１４を具備している。また、第２のトルク計測部２は、第１のトルク計測部１よりも小さな小トルクを計測する部分であり、ビーム状起歪部２１、ハブ部２２、リング状フランジ部２３および保護板２４を具備している。ストッパーピン３は、大径部３１、小径部３２および膨出頭部３３を有している。
【００２４】
まず、第１のトルク計測部１についてさらに詳細に説明する。円筒状起歪部１１は、捻り方向について比較的大きな剛性を有し、比較的大きなトルク範囲の回転トルクにより捻りひずみ（換言すればせん断ひずみ）を生じるように形成している。円筒状起歪部１１の外周面には、図６に展開図を示すように、４個のひずみゲージＧ１、Ｇ２、Ｇ３およびＧ４を等間隔で、例えば、接着、蒸着、溶着等の手段により添着する。ひずみゲージＧ１〜Ｇ４の各々は、図６に示すような中心線方向に対してそれぞれ４５°の角度をなして互いに直交する方向のひずみに感応する一対のひずみ検知部ＰａおよびＰｂを有している。図６のようなひずみゲージＧ１〜Ｇ４は、前記中心線方向を円筒状起歪部１１の中心軸線に平行な方向に配向している。ひずみゲージＧ１〜Ｇ４は、円筒状起歪部１１の外周に等角度間隔、即ち、この場合９０°間隔になるように添着する。これらひずみゲージＧ１〜Ｇ４は、主として各一方のひずみ検知部（例えば図７のＰａに対応する）が第１の方向の捻りひずみに感応し、主として各他方のひずみ検知部（例えば図７のＰｂに対応する）が前記第１の方向とは逆の第２の方向の捻りひずみに感応するので、典型的には、各一方のひずみ検知部の出力を加算的に合成した値と各他方のひずみ検知部の出力を加算的に合成した値とで平衡をとるようにフルブリッジ接続して用いる。
【００２５】
円筒状起歪部１１の一端部（図１において右端部）には、第１のフランジ部１２が形成されている。この第１のフランジ部１２は、このトルク計測装置の第１のトルク計測部１を動力側と負荷側の一方、例えば動力側に結合するための部分であり、使用に際しては、該第２のフランジ部１２の外周部近傍の複数箇所（例えば、典型的には１６箇所程度）に形成した挿通孔に例えば締付ボルトとナットなど、例えばネジ留めにより回転駆動軸等に固着結合される。円筒状起歪部１１の他端部（図において左端部）には、この場合第１のフランジ部１２よりも大径の第２のフランジ部１３が一体に形成されており、この第２のフランジ部１３の外周部近傍には、詳細は後述するように、ストッパーピン３の小径部３２に係合する、例えば貫通孔からなるストッパー孔１３ａを穿設している。
なお、最終的には、円筒状起歪部１１の部分は、この部分を保護するための円筒状のカバー１４（図４および図５参照）により、円筒状起歪部１１およびその両側近傍の部分と共に覆われる。
【００２６】
次に、第２のトルク計測部２についてさらに詳細に説明する。第２のトルク計測部２は、上述した第１のトルク計測部１の第２のフランジ部１３の外方端面中央部に一体に突設した短寸円柱状のハブ部２２を有している。このハブ部２２の円周面から半径方向に放射状に延びる複数本、例えば４本のビーム状起歪部２１を介して、リング状フランジ部２３を、ハブ部２２と同軸に且つビーム状起歪部２１に一体に設けている。ビーム状起歪部２１は、ハブ部２２およびリング状フランジ部２３の軸線を中心として等角度間隔で設けられ、この場合のように４本設けられる場合には、９０°間隔となる。リング状フランジ部２３は、ビーム状起歪部２１の先端に一体に形成されている。したがって、同軸上のハブ部２２とリング状フランジ部２３との間に、この場合４本のビーム状起歪部２１が、半径方向に沿って放射状、すなわちスポーク状に一体に形成されている（図３および図５参照）。
【００２７】
これらスポーク状のビーム状起歪部２１の回転方向が垂直に交わる側面、すなわち回転方向に面する両側面には、半径方向に沿う伸縮変形のひずみ（曲げひずみ）に感応するひずみゲージＴ１、Ｔ２、Ｔ３、Ｔ４、Ｃ１、Ｃ２、Ｃ３、およびＣ４を貼着する。ひずみゲージＴ１〜Ｔ４およびＣ１〜Ｃ４は、この場合、ビーム状起歪部２１の、ハブ部２２に対してリング状フランジ部２３を反時計方向に捻ったときに捻り方向の背後となる面にひずみゲージＴ１〜Ｔ４を、そしてそれぞれのビーム状起歪部２１の裏側の、捻り方向に向かう面にひずみゲージＣ１〜Ｃ４をそれぞれ配し、図３の反時計方向にひずみゲージＴ１、Ｃ１、Ｔ２、Ｃ２、Ｔ３、Ｃ３、Ｔ４、およびＣ４の順で設ける。これらひずみゲージＴ１〜Ｔ４およびＣ１〜Ｃ４は、例えば図８に示すように、ひずみゲージＴ１とＴ４の直列回路とひずみゲージＴ２とＴ３の直列回路で、ブリッジの一方の対向辺を構成し、ひずみゲージＣ１とＣ２の直列回路とひずみゲージＣ３とＣ４の直列回路で、ブリッジの他方の対向辺を構成し、ひずみゲージＴ１とＣ１、Ｔ２とＣ２、Ｔ３とＣ３、そしてＴ４とＣ４がそれぞれ相互に接続され、これらの各接続点から、例えば図３および図８のように赤、緑、黒、そして白の各引き出し線が導出され、赤−黒の引き出し線間と、白−緑引き出し線間とのうちの一方を電源に接続し、他方から計測信号を取り出す。
【００２８】
リング状フランジ部２３は、第１のトルク計測部１の第２のフランジ部１３と同等の外形寸法を有しており、その円周上の複数箇所、この場合４箇所、例えば図３のように各隣接する２つのビーム状起歪部２１の中間位置に対応して、詳細を後述するストッパーピン３を埋設固定するピン固定孔２３ａを設ける。このリング状フランジ部２３は、このトルク計測装置の第２のトルク計測部２を動力側と負荷側の他方、例えば負荷側に結合するための部分であり、使用に際しては、該リング状フランジ部２３の円周上の複数箇所（例えば、典型的には、１６箇所程度であって、ピン固定孔２３ａと重複しないような位置）において、例えばネジ留めにより負荷回転軸等に固着結合される。そして、ビーム状起歪部２１およびハブ部２２に対応する部分の端面で、且つリング状フランジ部２３の内側の部分は、図１に示すようにハブ部２２に固定して設けた円形の平板からなる保護板２４で覆う。なお、ピン固定孔２３ａは、図１に示されるように、リング状フランジ部２３に形成された貫通孔であり、第１のトルク計測部１から遠い側の端縁部を大径として段差を形成している。
【００２９】
上述した第１のトルク計測部１および第２のトルク計測部２の保護板２４を除く主要部分は、所要の弾性を有する金属等からなる同一素材により一体に形成することができる。すなわち、リング状フランジ部２３とほぼ同径の大径の丸棒部材を用いて、第２のトルク計測部２のハブ部２２、ビーム状起歪部２１およびリング状フランジ部２３を形成すべく、一端部側から、これらに相当する部分を残して、これらに囲まれるこの場合４つの扇状の部分を切削除去するとともに、リング状フランジ部２３および第２のフランジ部１３の外形を加工し、他端部近傍に、第１のトルク計測部１の外形を加工し、且つ所要の中ぐり加工を行なって円筒状起歪部１１、第１のフランジ部１２および第２のフランジ部１３を旋削して形成する。さらに第１のフランジ部１２、第２のフランジ部１３およびリング状フランジ部２３にそれぞれ所要の穴やねじ穴等を穿設し、そして、リング状フランジ部２３と第２のフランジ部１３との間にハブ部２２に達するまでのスリットを形成する。このスリットによって第１のトルク計測部１と第２のトルク計測部２とがハブ部２２のみを共通にして機械的に分離される。
【００３０】
そして、ストッパーピン３について、さらに詳述する。図１、図４および図５に示すように、ストッパーピン３は、第２のトルク計測部２におけるリング状フランジ部２３のピン固定孔２３ａの内径に対応して形成された大径部３１を有し、該大径部３１の基端側頭部を大径として膨出させて、リング状フランジ部２３のピン固定孔２３ａの段差に対応する膨出頭部３３を形成している。また、ストッパーピン３の大径部３１の先端側を小径部３２としている。このストッパーピン３は、膨出頭部３３が、ピン固定孔２３ａの段差により係止されるまで、大径部３１をリング状フランジ部２３のピン固定孔２３ａに嵌挿し、先端の小径部３２をリング状フランジ部２３の段差とは反対の面から突出させた状態で、六角穴頭部を有する、いわゆるイモねじ等によりリング状フランジ部２３に固定する。なお、ストッパーピン３をネジ留めの代わりに、圧入または接着によりリング状フランジ部２３のピン固定孔２３ａに固着するようにしてもよい。装着状態において、小径部３２は、第１のトルク計測部１の第２のフランジ部１３のストッパー孔１３ａ内に挿入され、所定のギャップを存して係合する。すなわち、このストッパーピン３は、小径部３２とストッパー孔１３ａとの半径差に基づくギャップの範囲でのみ、リング状フランジ部２３と第２のフランジ部１３との相対的な回動を許容し、それを超える相対回動は、小径部３２とストッパー孔１３ａの係合により阻止される。このようにして、ストッパーピン３、リング状フランジ部２３のピン固定孔２３ａおよび第２のフランジ部１３のストッパー孔１３ａによりストッパー機構が構成される。
【００３１】
このように構成したトルク計測装置は、計測に際しては、例えば動的計測の場合は、図９に示すように、例えば動力側の駆動回転軸Ｓ１を第１のトルク計測部１の第１のフランジ部１２に結合し、負荷側の回転軸Ｓ２をリング状フランジ部２３に結合し、これら結合箇所近傍において駆動回転軸Ｓ１および負荷側の回転軸Ｓ２をそれぞれベアリングＢ１およびＢ２を介して支持装置Ｂによって回転自在に支持する。
計測を行なうにあたっては、駆動回転軸Ｓ１が回転すると第１のトルク計測部１および第２のトルク計測部２を介して負荷側の回転軸Ｓ２が回転する。駆動回転軸Ｓ１の回転により、第１のフランジ部１２が回転されると、負荷が小さく、計測装置にかかるトルクが小さい場合には、第１のトルク計測部１の円筒状起歪部１１がほとんど変形することなくそのまま第２のフランジ部１３を介してハブ部２２に伝達され、負荷側の回転軸Ｓ２に結合されたリング状フランジ部２３との間に加わるトルクにより、ビーム状起歪部２１がトルクに応じて曲げ変形される。被測定トルクが小さい範囲においては、このような状態でビーム状起歪部２１の曲げ変形に対する抗力との関係に基づく曲げの大きさに応じた信号がビーム状起歪部２１に貼付されたひずみゲージＴ１〜Ｔ４およびＣ１〜Ｃ４によって得られる。
【００３２】
トルクが所定の値を超えると、ビーム状起歪部２１の曲げ変形が大きくなりストッパーピン３の小径部３２が第２のフランジ部１３のストッパー孔１３ａに係合して、リング状フランジ部２３と第２のフランジ部１３との間の相対回動ができなくなり、トルクが第１のフランジ部１２と第２のフランジ部１３との間の円筒状起歪部１１のみにかかるようになり、大トルクによる円筒状起歪部１１の捻りひずみに基づいてひずみゲージＧ１〜Ｇ４による計測が行なわれる。このときのトルク対ひずみ出力の関係を図１０に示す。この場合、第２のトルク計測部２で検出し得る小トルクの範囲を０〜０．５ｋＮ・ｍとしており、第１のトルク計測部１の大トルク出力ＯＵＴ１としてはトルク変化に対して線型的な出力が得られる。また、第２のトルク計測部２の出力としては、第１のトルク計測部１の大トルク出力ＯＵＴ１を加算的に合成したもの出力ＯＵＴ２として用いれば、図示のように０．５ｋＮ・ｍ未満の小トルクにおいて高精度で且つ高分解能であって、さらに０．５ｋＮ・ｍ以上の大トルクについても出力の変化率は異なるものの連続して計測出力を得ることができ、小トルクから大トルクまで高精度で且つ高分解能の計測を行なうことができる。
【００３３】
上述のように、上述したトルク計測装置は、小トルクから大トルクまで高精度で且つ高分解能の計測が可能となるばかりでなく、全体の構成も簡単でしかもコンパクトとすることができる。また、この場合、小トルク計測用の第２のトルク計測部２の作動範囲を決定するために、リング状フランジ部２３のピン固定孔２３ａと第２のフランジ部１３のストッパー孔１３ａとの内径を同径の貫通孔とし（一括して加工することができ、孔径の高精度化が容易である）、加工の容易なストッパーピン３の大径部３１（ピン固定孔２３ａとストッパー孔１３ａとの内径に対応する）と、小径部３２との段差（そのまま小径部３２の外形とストッパー孔１３ａとのギャップに高精度に対応する）を用いているため、第２のトルク計測部２の作動範囲を高精度に規制することができる。
図１１〜図１５は、本発明の第２の実施の形態に係るトルク計測装置の主要な構成を示している。上述した本発明の第１の実施の形態に係るトルク計測装置は、比較的小さな小トルク範囲とそれより大きな大トルク範囲とを、それぞれ第２のトルク計測部２と第１のトルク計測部１とで分担して高精度のトルク計測を実現するものであるが、本発明の第２の実施の形態は、微小トルク範囲の計測と、それより大きくてしかも比較的小さな小トルク範囲の計測と、それよりさらに大きな大トルク範囲の計測とをそれぞれ異なる計測部で分担して、より広範囲について高精度の計測を実現するものである。
【００３４】
図１１は、トルク計測装置の主要部の構成を示す分解斜視図、図１２は、微小トルクおよび小トルクの計測部側から端面から見た正面図、図１３は、微小トルクの計測部近傍を詳細に示す一部拡大正面図、図１４は、微小トルクの計測部近傍を詳細に示す拡大斜視図、そして図１５は、微小トルクの計測部の詳細を説明するための断面図である。
図１１〜図１５に示すトルク計測装置は、主として第１のトルク計測部１と、ストッパーピン３と、第２のトルク計測部４と、第３のトルク計測部５、補助ストッパー６および保護伝達板７を有して構成している。第１のトルク計測部１は、第２のフランジ部１３とは一部の構成が若干異ならせて第２のフランジ部１３′としていることを除けば、図１〜図１０において説明した図１〜図５の構成における第１のトルク計測部１と実質的に同様に構成している。この場合、第２のフランジ部１３′は、外方に向かう端面の中央にハブ部２２とは若干異なるハブ部４２を突出させて形成している。また、ハブ部４２の周面近傍には、後述する補助ストッパー６を構成するストッパーボス６１および６２を突設している。
【００３５】
また、ストッパーピン３は、図１〜図１０において説明した図１〜図５の構成におけるストッパーピン３と同様であり、大径部３１、小径部３２および膨出頭部３３を有している。
第２のトルク計測部４は、第１のトルク計測部１よりも小さなトルク範囲の小トルクを計測する部分であり、図１〜図５の第２のトルク計測部２のビーム状起歪部２１、ハブ部２２、リング状フランジ部２３および保護板２４にそれぞれほぼ対応するビーム状起歪部４１、ハブ部４２、リング状フランジ部４３および保護板４４を具備している。この場合、ビーム状起歪部４１とハブ部４２は、直接結合されておらず、これらビーム状起歪部４１とハブ部４２との間に後述する第３のトルク計測部５を介在させて、間接的に結合されている。また、図１〜図５の第２のトルク計測部２では保護板２４がビーム状起歪部２１とハブ部２２に対応する部分を覆っていたのに対し、図１１〜図１５の第２のトルク計測部４の保護板４４は、ビーム状起歪部４１とリング状フランジ部４３に対応する部分を覆っている。尚、この場合、保護板４４は、リング状フランジ部４３に締付ネジをもって固定されるが、ビーム状起歪部４１、第３のトルク計測部５、ハブ部４２とは分離されている。
【００３６】
このように、ビーム状起歪部４１が第３のトルク計測部５を介してハブ部４２に結合されていること、および保護板４４の配設箇所が若干異なっていることを除けば、図１１〜図１５における第２のトルク計測部４は、図１〜図５の第２のトルク計測部２と機能的に変わるところはない。
第３のトルク計測部５は、第２のトルク計測部４よりも小さなトルク範囲の微小トルクを計測する部分であり、補助起歪部５１を有して構成される。第３のトルク計測部５は、図１３および図１４に詳細に示すように、各ビーム状起歪部４１のハブ部４２への結合部近傍を、円周方向、つまり回転方向に膨出させて補助起歪部５１を形成している。補助起歪部５１は、その中央部に端面側から（図１４において上面側）回転軸線に平行に有底穴５１ａを穿設し、図１５の（ａ）に示すように、底部に充分に小さな厚みの底板上の部分を残すとともに、有底穴５１ａの内壁と補助起歪部５１の外壁との間の壁厚を充分に薄く形成し、第２のトルク計測部４よりも小さなトルク範囲の微小トルクによって変形し、有底穴５１ａの内部底面にせん断ひずみを発生するように構成する。
【００３７】
すなわち、この有底穴５１ａの内部底面にせん断ひずみ検出用のひずみゲージを貼設し微小トルクの計測を行なうようにする。
上述した第３のトルク計測部５は、第２のトルク計測部４よりも小さな微小トルクを計測するため充分に小さな剛性を持つように形成される。そのため、所要範囲のトルクを超えるトルクが印加されてしまうと、破損してしまうおそれがある。そこで、第３のトルク計測部５の回転方向についての両側に、ハブ部４２とビーム状起歪部４１の先端との間の相対移動に起因する起歪部５１の変形を所定範囲内に規制するために各起歪部５１毎に補助ストッパー６を設けている。補助ストッパー６は、各起歪部５１毎に第２のフランジ部１３′に植設した一対のストッパーボス６１および６２を有している（図１５（ｂ）参照）。補助ストッパー６のストッパーボス６１および６２は、各起歪部５１の変形を阻止し、所定の微小トルク以上のトルクの印加により、起歪部５１がストッパーボス６１および６２に当接すると、それ以上のトルクに対しては、第２のフランジ部１３′、バブ部４２、各補助起歪部５１およびストッパーボス６１が一体として動作する。このような構成とすれば、微小トルクから大トルクまでを適切に計測することができ、トルクが小さいほど高精度に計測することができ、しかも大トルクの計測にも、充分な精度が得られる。
【００３８】
【発明の効果】
以上述べたように、本発明によれば、構成が簡単でしかも個々の装置によるバラツキも少なく、小トルクから大トルクまでの広い範囲について安定で高精度のトルク計測を可能とし、小型化にも適するトルク計測装置を提供することができる。
すなわち、本発明の請求項１のトルク計測装置によれば、回転方向のトルクに感応する円筒状起歪部を用いて構成してなる第１のトルク計測部と、中心軸近傍のハブ部と該ハブ部の外周に適宜離間して同軸的に配置される外周部材とを放射方向に延びるビーム状起歪部を介して結合してなり、前記ハブ部および外周部材のうちの一方を前記第１のトルク計測部の前記円筒状の起歪部の一側に結合して、前記第１のトルク計測部よりも小さなトルクを計測するための第２のトルク計測部とを有し、前記第１のトルク計測部の前記円筒状起歪部の一側と前記第２のトルク計測部の前記ハブ部および外周部材のうちの他方との間にストッパー機構を設け、これらの間の相対的な回動を所定角度以内に規制することにより、構成が簡単でしかも個々の装置によるバラツキが少なく、小トルクから大トルクまでの広い範囲について安定で高精度のトルク計測が可能となり、小型化にも適し、特に、小トルクおよび大トルクのいずれについても安定で且つ高精度なトルク計測を行なうことが可能となる。
【００３９】
また、本発明の請求項２のトルク計測装置によれば、円筒状起歪部の両端にフランジ部を形成して一体的に構成してなる第１のトルク計測部と、前記第１のトルク計測部の一方のフランジ部の中央部に突設されたハブ部の外周面から放射方向に延びる複数のビーム状起歪部を介して前記ハブ部と同軸的に且つ前記一方のフランジ部と所定の間隙を存して対峙するリング状フランジ部を形成してなり、前記第１のトルク計測部よりも小さなトルクを計測するための第２のトルク計測部とを有し、前記第１のトルク計測部の前記一方のフランジ部と前記第２のトルク計測部のリング状フランジ部との間にストッパー機構を設けて、これら両者間の相対的な回動を所定角度以内に規制することにより、特に、簡単な構成で且つ小型化も容易であるにもかかわらず、小トルクおよび大トルクのいずれについても安定で且つ高精度なトルク計測を行なうことが可能となる。
【００４０】
本発明の請求項３のトルク計測装置によれば、円筒状起歪部の端部にフランジ部を、このフランジ部の中央部にハブ部を、それぞれ一体に形成して第１のトルク計測部となし、前記第１のトルク計測部の前記ハブ部とそのハブ部の外周面から放射方向に延びる複数のビーム状起歪部を一体に形成し、前記ビーム状起歪部の各先端に前記ハブ部と同軸のリング状フランジ部を一体に形成して第２トルク計測部となしたので、コイルスプリングなどを用いない点で組立や調整が容易であり、コストの低減を図り得ると共に長期に亘りヒステリシスが良好で、広範囲のトルクを高精度に計測することができる。
本発明の請求項４のトルク計測装置によれば、前記第１のトルク計測部が、前記円筒状起歪部の周面に適宜間隔で貼設されて、当該円筒状起歪部の捻りひずみを検知する複数のひずみゲージを含み、且つ前記第２のトルク計測部が、前記ビーム状起歪部の回転方向に面する側面に貼設されて、当該ビーム状起歪部の曲げひずみを検知するひずみゲージを含むことにより、特に、効率良く的確にトルク計測信号を生成することが可能となる。
【００４１】
本発明の請求項５のトルク計測装置によれば、前記第１のトルク計測部の捻りひずみを検知するひずみゲージが、中心軸線と平行な方向に対して４５°の角度をなして互いに直交する方向のひずみにそれぞれ主として感応する１対のひずみ検知部を互いに近接して配置してなるひずみゲージを、前記円筒状起歪部の周面の同一円周上に等間隔で複数個配設することにより、特に、比較的大きなトルクを効率良く的確に計測することが可能となる。
本発明の請求項６のトルク計測装置によれば、前記第２のトルク計測部の曲げひずみを検知するひずみゲージが、前記ビーム状起歪部の回転方向に面する側面の半径方向のひずみに感応するひずみ検知部を有するひずみゲージを前記ビーム状起歪部の回転方向に面する両側面に配設することにより、特に、比較的小さなトルクを効率良く的確に計測することが可能となる。
【００４２】
本発明の請求項７のトルク計測装置によれば、前記ストッパー機構が、前記第１のトルク計測部の前記一方のフランジ部および前記第２のトルク計測部のリング状フランジ部の一方に同一円周上に等間隔で形成される複数の係合孔と、前記第１のトルク計測部の前記一方のフランジ部および前記第２のトルク計測部のリング状フランジ部の他方に前記係合孔にそれぞれ対応して突設され、前記係合孔に挿入係合する複数のピン状突起とを含み、前記第１のトルク計測部の前記一方のフランジ部と前記第２のトルク計測部のリング状フランジ部との相対的な回動を、前記係合孔とピン状突起との係合における両者の寸法差に基づく遊び範囲にのみ許容し、該遊び範囲に相当する角度以内に規制する構成とすることにより、特に、主として比較的小さなトルク範囲についての計測と主としてそれより大きなトルク範囲についての計測との切り換えを高精度にしかもスムーズに行なうことが可能となる。
本発明の請求項８のトルク計測装置によれば、前記ストッパー機構のピン状突起が、前記第１のトルク計測部の前記一方のフランジ部および前記第２のトルク計測部のリング状フランジ部の前記他方に一端を突出させて植設したストッパーピンにより形成することにより、特に、主として比較的小さなトルク範囲についての計測と主としてそれより大きなトルク範囲についての計測との切り換え分担の精度をさらに高めることが可能となる。
【００４３】
本発明の請求項９のトルク計測装置によれば、前記第２のトルク計測部の前記ハブ部に対する前記複数のビーム状起歪部の各結合部近傍において前記ビーム状起歪部のビーム端部と前記ハブ部とを微小トルクに応動するさらなる起歪部を介して結合する構成としてなり、前記第２のトルク計測部よりもさらに小さなトルクを計測するための第３のトルク計測部と、前記第２のトルク計測部の前記ビーム状起歪部の前記ビーム端部と前記ハブ部との間の相対的な回動を所定角度以内に規制するさらなるストッパー機構とをさらに具備することにより、特に、さらに広いトルク範囲について安定で且つ高精度なトルク計測を行なうことが可能となる。
本発明の請求項１０のトルク計測装置によれば、前記第３のトルク計測部の前記さらなる起歪部が、前記複数のビーム状起歪部の前記ハブ部に対する各結合部近傍における前記ビーム状起歪部の円周方向についてのビーム寸法を膨出させ、その膨出部分に軸線方向の一端から該軸線に平行に非貫通穴を穿設し、該非貫通穴の底面に剪断ひずみを検出するひずみゲージを貼設して形成し、且つ前記さらなるストッパー機構が、前記さらなる起歪部の回転方向両側方に所定のギャップを存して前記第１のトルク計測部の前記一方のフランジ部から突設してなり、前記第１のトルク計測部の前記一方のフランジ部と前記ビーム状起歪部の端部との間の相対的な回動に基づく前記さらなる起歪部の変形を所定範囲内に規制する係止部により構成により、特に、最も小さなトルク範囲について高感度に且つ高精度にトルク計測を行なうことが可能となる。
【図面の簡単な説明】
【図１】本発明の第１の実施の形態に係るトルク計測装置の主要部の内部構成を模式的に示す縦断面図である。
【図２】図１のトルク計測装置の主要部の外観を模式的に示す側面図である。
【図３】図１のトルク計測装置の主要部を小トルクの計測部側の端面から見たもので、特にひずみゲージとリード線の配線関係を模式的に示す正面図である。
【図４】図１のトルク計測装置における大トルクの計測部をカバーで覆った状態の外観を模式的に示す側面図である。
【図５】図１のトルク計測装置における大トルクの計測部から第２のトルク計測部を切り離した状態の外観を模式的に示す一部分解斜視図である。
【図６】図１のトルク計測装置の円筒状起歪部におけるひずみゲージの貼設状態を説明するための模式的展開図である。
【図７】図１のトルク計測装置の円筒状起歪部に用いるひずみゲージの具体的なゲージパターンを示す模式図である。
【図８】図１のトルク計測装置のビーム状起歪部に添着されたひずみゲージの接続状態を説明するための回路図である。
【図９】図１のトルク計測装置で動的計測を行う場合の計測状態を説明するための要部の側面図である。
【図１０】図１のトルク計測装置の各計測部に基づくトルク−ひずみ出力特性を説明するための図である。
【図１１】本発明の第２の実施の形態に係るトルク計測装置の主要部の構成を一部破断して示す分解斜視図である。
【図１２】図１１のトルク計測装置の主要部を微小トルクおよび小トルクの計測部側の端面から見た模式的な正面図である。
【図１３】図１１のトルク計測装置における微小トルクの計測部近傍の詳細を模式的に示す一部拡大正面図である。
【図１４】図１１のトルク計測装置における微小トルクの計測部近傍の詳細を模式的に示す斜視図である。
【図１５】図１１のトルク計測装置における微小トルクの計測部の一部を詳細に示す断面図であり、図１５（ａ）は、図１３のＤ−Ｄ線に沿う断面、そして図１５（ｂ）は、図１３のＥ−Ｅに沿う断面をそれぞれ模式的に示している。
【図１６】トルク計測装置の一般的な使用形態を説明するための図であり、回転トルクを動的に計測する場合の構成を示す模式図である。
【図１７】トルク計測装置の一般的な使用形態を説明するための図であり、静的な回転トルクを計測する場合の構成を示す模式図である。
【符号の説明】
１　第１のトルク計測部
２　第２のトルク計測部
３　ストッパーピン
４　第２のトルク計測部
５　第３のトルク計測部
６　補助ストッパー
１１　円筒状起歪部
１２　第１のフランジ部
１３，１３′　第２のフランジ部
１４　カバー
２１，４１　ビーム状起歪部
２２，４２　ハブ部
２３，４３　リング状フランジ部
２４，４４　保護板
３１　大径部
３２　小径部
３３　膨出頭部
５１　補助起歪部
５１ａ　有底穴
６１，６２　ストッパーボス
【図１】
2004077172.tif 000003
【図２】
2004077172.tif 000004
【図３】
2004077172.tif 000005
【図４】
2004077172.tif 000006
【図５】
2004077172.tif 000007
【図６】
2004077172.tif 000008
【図７】
2004077172.tif 000009
【図８】
2004077172.tif 000010
【図９】
2004077172.tif 000011
【図１０】
2004077172.tif 000012
【図１１】
2004077172.tif 000013
【図１２】
2004077172.tif 000014
【図１３】
2004077172.tif 000015
【図１４】
2004077172.tif 000016
【図１５】
2004077172.tif 000017
【図１６】
2004077172.tif 000018
【図１７】
2004077172.tif 000019